(57)【要約】  カミソリカートリッジ（７４）用の保護カバー（１０）。カートリッジは、ハンドル（７２）に連結され、ハンドルに対して旋回軸の周りで旋回可能である。カバーは、前壁（１２）、前壁と反対側の後壁（１４）、前壁から後壁に延びる側壁（１６）、第１端部（２０）及び対向する第２端部（２２）を包含する。第２端部は、開口部（２４）を有する。後壁は、後壁から離れていくように延びる第１（３２）及び第２旋回抑制部材（３４）を備えた開口部を有する。カバーは、カートリッジを覆うため、第２端部の開口部を通じてカートリッジ上を摺動自在であり、それによって、第１及び第２旋回抑制部材は、ハンドルに係合して、カートリッジがハンドルに対して旋回軸の周りで旋回するのを抑制する。
2011509108.tif 000002
【特許請求の範囲】
【請求項１】
カミソリカートリッジ用の保護カバーであって、
前記カートリッジが、ハンドル及び該カートリッジに連結されるとともに前記ハンドルに対して旋回軸の周りで旋回可能な旋回機構を有し、
前記カバーが、前壁と、該前壁と反対側の後壁と、前記前壁から前記後壁に延びる側壁と、第１端部及び対向する第２端部と、を含み、
前記第２端部が開口部を有し、
前記後壁が開口部を有し、
第１旋回抑制部材が前記後壁から離れていくように延び、かつ、第２旋回抑制部材が前記後壁から離れていくように延び、
前記カバーが、前記カートリッジを覆うため、前記第２端部の前記開口部を通じて前記カートリッジ上を摺動自在であり、それによって、前記ハンドルが前記後壁の前記開口部を通じて延び、前記第１及び第２旋回抑制部材が、前記旋回機構又は前記ハンドルの１つに係合して、前記カートリッジが前記ハンドルに対して前記旋回軸の周りで旋回するのを抑制する、カミソリカートリッジ用の保護カバー。
【請求項２】
前記第１及び第２旋回抑制部材が前記前壁に向かって延びる、請求項１に記載のカバー。
【請求項３】
前記第１及び第２旋回抑制部材が前記前壁から離れていくように延びる、請求項１に記載のカバー。
【請求項４】
前記前壁が、前記カートリッジに対する前記カバーの移動を最小限に抑えるための複数のガイドを更に含む、請求項１に記載のカバー。
【請求項５】
前記後壁が、前記カートリッジに対する前記カバーの移動を最小限に抑えるための複数のガイドを更に含む、請求項１に記載のカバー。
【請求項６】
前記第１旋回抑制部材が、前記後壁の前記開口部の近傍に位置する又は前記後壁の前記開口部に隣接する、請求項１に記載のカバー。
【請求項７】
前記第２旋回抑制部材が、前記後壁の前記開口部の近傍に位置する又は前記後壁の前記開口部に隣接する、請求項１に記載のカバー。
【請求項８】
前記第１及び第２旋回抑制部材が、前記旋回機構及び前記ハンドルに係合し、前記カートリッジが前記ハンドルに対して前記旋回軸の周りで旋回するのを抑制する、請求項１に記載のカバー。
【請求項９】
前記側壁は連続的である、請求項１に記載のカバー。
【請求項１０】
前記側壁は断続的である、請求項１に記載のカバー。
【発明の詳細な説明】
【技術分野】
【０００１】
本発明は、剃毛カートリッジを保護する、より詳細には、移送及び／又は保管中に旋回機構を破損から保護する湿式剃毛用カミソリカバーに関する。
【背景技術】
【０００２】
近年、消費者の日常生活における移動性はより高まってきた。このことは、こうした行動の変化を認識した製造業者によって、消費者が日常的に使用する商品が高い移動性を有し、かつ旅行時に容易に携帯できるように工夫されていることから、より一層明らかである。こうした傾向に従った消費者領域の１つに湿式剃毛用カミソリがあり、多くのカミソリが比較的限られた回数の使用を目的としたものである（「使い捨て」と呼ばれる）のに対して、取り外し可能な使い捨てカートリッジに連結された長期使用されるハンドルを備えるシステムの形態であるものもある。両タイプのカミソリ製品に関して、このようなカミソリは、ハンドルに対するカートリッジの旋回を可能にする旋回機構を組み込むことが一般的になりつつある。
【発明の概要】
【発明が解決しようとする課題】
【０００３】
製造業者が剃毛を改善する旋回機構を消費者に提供するよう努める際、移送及び／又は保管中に、このようなカミソリに好適な保護用カミソリカバーの必要性があることは明白である。特に、１）移送及び／又は保管中に、消費者を刃の先端との予期せぬ接触から保護するようにカミソリを保管すること、２）このような移送及び／又は保管中に、刃の先端を予期せぬ接触による鈍化から保護すること、並びに３）移送及び／又は保管中に、旋回機構を破損から保護することに好適な保護用カミソリカバーの必要性がある。
【課題を解決するための手段】
【０００４】
本発明に従い、カミソリカートリッジ用の保護カバーが提供される。カミソリカートリッジは、ハンドルに連結され、ハンドルに対して旋回軸の周りで旋回する。カバーは、前壁、前壁と反対側の後壁、前壁から後壁に延びる側壁、第１端部、及び対向する第２端部を含む。第２端部は、開口部を有する。後壁は、開口部、後壁から離れていくように延びる第１旋回抑制部材、及び後壁から離れていくように延びる第２旋回抑制部材を有する。好ましくは、第１及び第２旋回抑制部材は、後壁の開口部の両側に互いに反対側に位置決めされる。カバーは、カートリッジを覆うため、第２端部の開口部を通じてカートリッジ上を摺動自在であり、それによって、ハンドルが後壁の開口部を通じて延び、第１及び第２旋回抑制部材は、ハンドルに係合して、カートリッジがハンドルに対して旋回軸の周りで旋回するのを抑制する。
【０００５】
第１及び第２旋回抑制部材は、前壁に向かって延びてもよい。第１及び第２旋回抑制部材は、前壁から離れていくように延びてもよい。
【０００６】
前壁は、カートリッジに対するカバーの移動を最小限に抑えるための複数のガイドを含んでもよい。後壁は、カートリッジに対するカバーの移動を最小限に抑えるための複数のガイドを含んでもよい。
【０００７】
第１旋回抑制部材は、後壁の開口部に隣接して位置決めされてもよい。第２旋回抑制部材は、後壁の開口部に隣接してもよい。
【図面の簡単な説明】
【０００８】
本明細書には、本発明を構成するものとみなされる主題を具体的に特定しかつ個別に特許請求する特許請求の範囲が添付されているが、本発明は、実質的に同様の要素が同様の符合を用いて示されている添付の図面と以下の説明文を併せ読むことでより深く理解されるものと考えられる。
【図１】本発明の保護カバー内に保管され得るカミソリの斜視図。
【図２】本発明の保護カバーの斜視図。
【図３】図２の保護カバーの端面図。
【図４】図１のカミソリを覆う図２の保護カバーの端面図。
【図５】本発明の別の保護カバーの斜視図。
【図６】図５の保護カバーの端面図。
【発明を実施するための形態】
【０００９】
図１を参照すると、湿式剃毛カミソリ７０が示されている。湿式剃毛カミソリ７０は、ハンドル７２、及びハンドル７２に連結されたカートリッジ７４を含む。ハンドル７２及びカートリッジが使用後に処分される場合、カミソリ７０は使い捨てであってもよい。あるいは、カミソリ７０は、再利用される長期使用のハンドル７２、及び使用後に処分され、新しいカートリッジと交換される取り外し可能な使い捨てカートリッジ７４を含むシステムの形態であってもよい。カートリッジ７４は、ハンドル７２に対して旋回軸７５の周りで旋回可能である。旋回機構７３により、カートリッジ７４は、ハンドル７２に対して旋回軸７５の周りで旋回することが可能になる。
【００１０】
図２〜４を参照すると、カートリッジ７４及び隣接するハンドル７２を有するカミソリ７０の保管に好適な保護カバー１０が示されている。カバー１０は、前壁１２、前壁１２と反対側の後壁１４、及び前壁１２から後壁１４に延びる側壁１６を含む。側壁１６は、前壁１２と後部１４との間に延び、前壁１２を後壁１４と接合させる。側壁１６は、保護カバー１０の一部の周りに延びる。側壁１６は、連続的に延びてもよいし、あるいは断続的であってもよい。カバー１０はまた、第１端部２０及び対向する第２端部２２を含む。第２端部２２は、開口部２４を有する。後壁１４は、開口部３０、後壁１４から離れていくように延びる第１旋回抑制部材３２、及び後壁１４から離れていくように延びる第２旋回抑制部材３４を有する。カバー１０は、カートリッジ７４を覆うため、第２端部２２の開口部２４を通じてカートリッジ７４上が摺動自在である。カバー１０がカートリッジ７４を覆うとき、ハンドル７２は、後壁１４の開口部３０を通じて延び、第１旋回抑制部材３２及び第２旋回抑制部材３４は、ハンドル７２に係合して、カートリッジ７４がハンドル７２に対して旋回軸７５の周りで旋回するのを抑制する。これにより、旋回機構は、移送及び／又は保管中に破損から保護される。
【００１１】
図２〜４に示される実施形態では、第１旋回抑制部材３２及び第２旋回抑制部材３４は、前壁１２から離れていくように延びる。第１旋回抑制部材３２は、後壁１４の開口部３０に隣接して位置決めされる。同様に、第２旋回抑制部材３４は、第１旋回抑制部材３２と反対側で、後壁１４の開口部３０に隣接して位置決めされる。
【００１２】
前壁１２は、カートリッジ７４に対するカバー１０の移動を最小限に抑えるための複数のガイド３６を含む。後壁１４は、前記カートリッジに対する前記カバーの移動を最小限に抑えるための複数のガイド３８を含む。
【００１３】
図５〜６を参照すると、図１に示したカミソリ７０の保管に好適な別の保護カバー１１０が示されている。カバー１１０は、前壁１１２、前壁１１２と反対側の後壁１１４、及び前壁１１２から後壁１１４に延びる側壁１１６を含む。側壁１１６は、前壁１１２と後部１１４との間に延び、前壁１１２を後壁１１４と接合させる。側壁１１６は、保護カバー１１０の一部の周りに延びる。側壁１１６は、連続的に延びてもよいし、あるいは断続的であってもよい。カバー１１０はまた、第１端部１２０、及び対向する第２端部１２２を含む。第２端部１２２は、開口部１２４を有する。後壁１１４は、開口部１３０、後壁１１４から離れていくように延びる第１旋回抑制部材１３２、及び後壁１１４から離れていくように延びる第２旋回抑制部材１３を有する。カバー１１０は、カートリッジ７４を覆うため、第２端部１２２の開口部１２４を通じてカートリッジ７４上が摺動自在である。カバー１１０がカートリッジ７４を覆うとき、ハンドル７２は、後壁１１４の開口部１３０を通じて延び、第１旋回抑制部材１３２及び第２旋回抑制部材１３４は、ハンドル７２に係合して、カートリッジ７４がハンドル７２に対して旋回軸７５の周りで旋回するのを抑制する。これにより、旋回機構は、移送及び／又は保管中に破損から保護される。
【００１４】
第１旋回抑制部材１３２及び第２旋回抑制部材１３４は、前壁１１２に向かって延びる。第１旋回抑制部材１３２は、後壁１１４の開口部１３０に隣接して位置決めされる。同様に、第２旋回抑制部材１３４は、第１旋回抑制部材１３２と反対側で、後壁１１４の開口部１３０に隣接して位置決めされる。
【００１５】
前壁１１２は、カートリッジ７４に対するカバー１１０の移動を最小限に抑えるための複数のガイド１３６を含む。後壁１１４は、前記カートリッジに対する前記カバーの移動を最小限に抑えるための複数のガイド１３８を含む。
【００１６】
本発明のカバーは、好ましくは単一の一体型構造体として成形される。
【００１７】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【００１８】
「発明を実施するための形態」で引用した全ての文献は、関連部分において本明細書に参考として組み込まれるが、いずれの文献の引用も、それが本発明に関して先行技術であることを容認するものとして解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００１９】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【図１】
2011509108.tif 000003
【図２】
2011509108.tif 000004
【図３】
2011509108.tif 000005
【図４】
2011509108.tif 000006
【図５】
2011509108.tif 000007
【図６】
2011509108.tif 000008
【国際調査報告】
2011509108.tif 000009
2011509108.tif 000010